(57)【要約】      （修正有）【課題】モバイル機器を用いて、航空機の複数の異なるシステムを制御するための方法と装置を提供する。【解決手段】モバイル機器は、航空機の航空機ネットワーク１４４に接続される。モバイル機器は、航空機上の複数の異なる位置１６５に移動可能である。モバイル機器は、オペレータから、航空機の複数の異なるシステム１２１によって実行される機能を制御するためのコントロールを識別する入力を受け取る。コントロールは、モバイル機器から航空機ネットワークを介して航空機の複数の異なるシステムに送られる。【選択図】図１
2015036295.tif 000002
【特許請求の範囲】
【請求項１】
航空機の複数の異なるシステムを制御する方法であって、
前記航空機上の複数の異なる場所に移動可能なモバイル機器を、前記航空機の航空機ネットワークに接続すること、
前記航空機の前記複数の異なるシステムによって実行される機能を制御するためのコントロールを識別するオペレータからの入力を、前記モバイル機器により受け取ること、並びに
前記航空機ネットワークを介して、前記モバイル機器から前記航空機の前記複数の異なるシステムへ前記コントロールを送ること
を含む方法。
【請求項２】
前記モバイル機器を前記航空機ネットワークに接続することは、前記モバイル機器を、無線接続を介して前記航空機の無線ネットワークに接続することを含み、
前記モバイル機器から前記航空機の前記複数の異なるシステムへ前記コントロールを送ることは、前記モバイル機器から前記無線接続を介して前記航空機ネットワークへ前記コントロールを送ることを含む、
請求項１に記載の前記方法。
【請求項３】
前記モバイル機器を前記航空機ネットワークに接続することは、前記モバイル機器を、有線接続を介して前記航空機ネットワークに接続することを含み、
前記モバイル機器から前記航空機の前記複数の異なるシステムへ前記コントロールを送ることは、前記モバイル機器から前記有線接続を介して前記航空機ネットワークへ前記コントロールを送ることを含む、
請求項１に記載の前記方法。
【請求項４】
前記複数の異なるシステムによって実行される前記機能のための複数の制御インターフェースを、前記モバイル機器のユーザインターフェース上に表示すること、並びに
前記ユーザインターフェース上の前記複数の制御インターフェースを介して、前記オペレータから前記入力を受け取ること
をさらに含む、請求項１から３のいずれか一項に記載の前記方法。
【請求項５】
前記航空機ネットワークを介して前記航空機の前記複数の異なるシステムから、前記モバイル機器により報告を受け取ること、並びに
前記モバイル機器に前記報告を格納すること、又は前記モバイル機器のユーザインターフェース上の前記複数の異なるシステムのための複数の報告インターフェース上に前記報告を表示することのうちの少なくとも一方
をさらに含む、請求項１に記載の前記方法。
【請求項６】
前記航空機の前記複数の異なるシステムは、機内娯楽システム、拡声装置、情報システム、客室サービスシステム、及びアテンダント呼び出しシステムから選択される、請求項１から５のいずれか一項に記載の前記方法。
【請求項７】
航空機の航空機ネットワークデータ処理システムを備える装置であって、前記航空機ネットワークデータ処理システムは、
前記航空機上の複数の異なる場所に移動可能なモバイル機器から、前記航空機の複数の異なるシステムによって実行される機能を制御するためのコントロールを受け取り、
前記モバイル機器から受け取った前記コントロールを、前記複数の異なるシステムへ送る
ように構成されている、装置。
【請求項８】
前記航空機ネットワークデータ処理システムは、前記モバイル機器への有線接続を介して、前記モバイル機器から前記コントロールを受け取るように構成されている、請求項７に記載の前記装置。
【請求項９】
前記航空機ネットワークデータ処理システムは、無線ネットワークを介して前記モバイル機器から前記コントロールを受け取るように構成されている、請求項７又は８に記載の前記装置。
【請求項１０】
前記航空機ネットワークデータ処理システムは、前記モバイル機器に任意の数のシステム制御アプリケーションを提供するように構成されており、前記任意の数のシステム制御アプリケーションは、前記複数の異なるシステムによって実行される前記機能のための制御インターフェースを定義する、請求項７から９のいずれか一項に記載の前記装置。
【請求項１１】
前記モバイル機器は、
前記複数の異なるシステムによって実行される前記機能のための複数の制御インターフェースを、前記モバイル機器のユーザインターフェース上に表示し、
前記ユーザインターフェース上の前記複数の制御インターフェースを介して、オペレータから前記コントロールを識別する入力を受け取る
ように構成されている、請求項７から１０のいずれか一項に記載の前記装置。
【請求項１２】
前記航空機ネットワークデータ処理システムは、前記複数の異なるシステムから報告を受け取って、前記報告を前記モバイル機器に送るように構成されている、請求項７から１１のいずれか一項に記載の前記装置。
【請求項１３】
前記航空機の前記複数の異なるシステムは、機内娯楽システム、拡声装置、情報システム、客室サービスシステム、及びアテンダント呼び出しシステムから選択される、請求項７から１２のいずれか一項に記載の前記装置。
【発明の詳細な説明】
【背景技術】
【０００１】
本発明は、航空機の種々のシステムを制御し、そのようなシステムから情報を報告するためのシステムと方法に関する。具体的には、本発明は、モバイル機器を用いて、様々な航空機システムによって実行される種々の機能を制御し、そのようなシステムから情報を報告することに関する。
【０００２】
航空機は、航空機上で種々の機能を実行する種々のシステムを含む。航空機の様々なシステムは、航空機上で様々な機能を実行するように構成される。例えば、限定しないが、航空機上で種々の機能を実行するシステムには、機内娯楽システム、拡声装置、情報システム、客室サービスシステム、アテンダント呼び出しシステム、その他の航空機システム、又は航空機上で種々の機能を実行するためのシステムの種々の組合せが含まれる。
【０００３】
航空機の種々のシステムによって実行される機能は、人間のオペレータによって制御される。例えば、限定しないが、航空機のシステムによって実行される機能は、航空機乗務員の一員、航空機の乗客、整備員、又は他のいずれかの適切なオペレータによって制御される。
【０００４】
オペレータは、システムのオペレータインターフェースとの相互作用により、航空機のシステムによって実行される機能を制御することができる。例えば、航空機のシステムのオペレータインターフェースは、オペレータから入力を受け取り、オペレータからの入力に応じてシステムによって実行される機能を制御するように構成することができる。
【０００５】
航空機のシステムのオペレータインターフェースは、専用オペレータインターフェースとすることができる。専用オペレータインターフェースは、航空機の特定のシステムによって実行される機能のみを制御するために構成されうる。したがって、航空機の種々の異なるシステムによって実行される機能は、種々の異なる専用オペレータインターフェースを用いて制御することができる。
【０００６】
航空機のシステムの専用オペレータインターフェースは、システムに有線接続することができる。このような専用オペレータインターフェースは移動不能であるか、又はこのような専用オペレータインターフェースの移動性は限定される。例えば、航空機のシステムの専用オペレータインターフェースは、航空機上において固定の位置に搭載される。さらに、航空機のシステムの専用オペレータインターフェースの数は限定される。
【０００７】
したがって、上述した問題の一又は複数と、起こりうる他の問題とを考慮する方法と装置を有することが望ましい。
【発明の概要】
【０００８】
本発明の実施形態は、航空機の複数の異なるシステムを制御する方法を提供する。モバイル機器は、航空機の航空機ネットワークに接続される。モバイル機器は、航空機上の複数の異なる位置に移動可能である。モバイル機器は、オペレータから、航空機の複数の異なるシステムによって実行される機能を制御するためのコントロールを識別する入力を受け取る。コントロールは、モバイル機器から航空機ネットワークを介して航空機の複数の異なるシステムに送られる。
【０００９】
本発明の実施形態は、航空機の航空機ネットワークデータ処理システムを備える装置も提供する。航空機ネットワークデータ処理システムは、航空機の複数の異なるシステムによって実行される機能を制御するためのコントロールをモバイル機器から受け取るように構成される。モバイル機器は、航空機上の複数の異なる位置に移動可能である。航空機ネットワークデータ処理システムは、さらに、モバイル機器から受け取ったコントロールを複数の異なるシステムに届けるように構成される。
【００１０】
本発明の実施形態は、航空機の複数の異なるシステムを制御する別の方法も提供する。航空機の航空機ネットワークデータ処理システムは、航空機の複数の異なるシステムによって実行される機能を制御するためのコントロールをモバイル機器から受け取る。モバイル機器は、航空機上の異なる位置に移動可能である。モバイル機器からのコントロールは、航空機ネットワークデータ処理システムにより複数の異なるシステムに届けられる。
【００１１】
航空機の複数の異なるシステムを制御する方法は、航空機上の複数の異なる位置に移動可能なモバイル機器を航空機の航空機ネットワークに接続することと、航空機の複数の異なるシステムによって実行される機能を制御するためのコントロールを識別する入力を、モバイル機器によってオペレータから受け取ることと、モバイル機器から航空機の複数の異なるシステムへ航空機ネットワークを介して送ることを含む。
【００１２】
モバイル機器を航空機ネットワークに接続することは、無線接続を介してモバイル機器を航空機の無線ネットワークに接続することを含み、モバイル機器から航空機の複数の異なるシステムにコントロールを送ることは、モバイル機器から無線接続を介して航空機ネットワークにコントロールを送ることを含む。モバイル機器を航空機ネットワークに接続することは、有線接続を介してモバイル機器を航空機の無線ネットワークに接続することを含み、モバイル機器から航空機の複数の異なるシステムにコントロールを送ることは、モバイル機器から有線接続を介して航空機ネットワークにコントロールを送ることを含む。
【００１３】
方法は、複数の異なるシステムによって実行される機能の複数の制御インターフェースを、モバイル機器のユーザインターフェース上に表示することと、オペレータから、ユーザインターフェース上の複数の制御インターフェースを介して入力を受け取ることとをさらに含む。方法は、モバイル機器によって、航空機の複数の異なるシステムから航空機ネットワークを介して報告を受取ることと、報告をモバイル機器に格納することとをさらに含む。
【００１４】
方法は、モバイル機器によって、航空機の複数の異なるシステムから航空機ネットワークを介して報告を受取ることと、複数の異なるシステムの複数の報告インターフェース上の報告を、モバイル機器のユーザインターフェース上に表示することとをさらに含む。航空機の複数の異なるシステムは、機内娯楽システム、拡声装置、情報システム、客室サービスシステム、及びアテンダント呼び出しシステムから選択される。
【００１５】
航空機上に航空機ネットワークデータ処理システムを備える装置が提供され、この航空機ネットワークデータ処理システムは、航空機の複数の異なるシステムによって実行される機能を制御するためのコントロールを、航空機上の複数の異なる位置へ移動可能なモバイル機器から受け取り、モバイル機器から受け取ったコントロールを、複数の異なるシステムへ届けるように構成される。
【００１６】
航空機ネットワークデータ処理システムは、さらに、モバイル機器への有線接続を介して、モバイル機器からコントロールを受け取るように構成される。航空機ネットワークデータ処理システムは、さらに、無線ネットワークを介して、モバイル機器からコントロールを受け取るように構成される。
【００１７】
航空機ネットワークデータ処理システムは、さらに、任意の数のシステム制御アプリケーションをモバイル機器に提供するように構成され、任意の数のシステム制御アプリケーションは、複数の異なるシステムによって実行される機能の制御インターフェースを定義するものである。モバイル機器は、さらに、複数の異なるシステムによって実行される機能の複数の制御インターフェースを、モバイル機器のユーザインターフェース上に表示するように、及びオペレータから、ユーザインターフェース上の複数の制御インターフェースを介して、コントロールを識別する入力を受け取るように構成される。
【００１８】
航空機ネットワークデータ処理システムは、さらに、複数の異なるシステムから報告を受け取り、報告をモバイル機器へ送るように構成される。モバイル機器は、さらに、複数の異なるシステムの複数の報告インターフェース上の報告を、モバイル機器のユーザインターフェース上に表示するように構成される。モバイル機器は、さらに、モバイル機器に報告を格納するように構成される。
【００１９】
航空機の複数の異なるシステムは、機内娯楽システム、拡声装置、情報システム、客室サービスシステム、及びアテンダント呼び出しシステムから選択される。
【００２０】
航空機の複数の異なるシステムを制御する方法が提供され、この方法は、航空機の複数の異なるシステムによって実行される機能を制御するためのコントロールを、航空機上の複数の異なる位置へ移動可能なモバイル機器から、航空機の航空機ネットワークデータ処理システムにより受け取ることと、コントロールを、航空機ネットワークデータ処理システムにより、モバイル機器から複数の異なるシステムへ届けるように構成される。
【００２１】
モバイル機器からコントロールを受け取ることは、有線接続及び無線接続から選択される接続を介してモバイル機器からコントロールを受け取ることを含む。方法は、任意の数のシステム制御アプリケーションを、航空機ネットワークデータ処理システムからモバイル機器に提供することをさらに含み、任意の数のシステム制御アプリケーションは、複数の異なるシステムによって実行される機能の制御インターフェースを定義するものである。
【００２２】
方法は、航空機ネットワークデータ処理システムによって、複数の異なるシステムから報告を受け取ることと、報告を、航空機ネットワークデータ処理システムからモバイル機器へ送ることとをさらに含む。
【００２３】
上記のフィーチャ、及び機能は、本発明の様々な実施形態において独立に達成可能であるか、又は他の実施形態において組合わせることが可能である。これらの実施形態について、後述の説明及び添付図面を参照してさらに詳細に説明する。
【図面の簡単な説明】
【００２４】
新規のフィーチャと考えられる例示的実施形態の特徴は、特許請求の範囲に明記される。しかしながら、例示的実施形態と、好ましい使用モード、さらなる目的、及びそのフィーチャとは、添付図面を参照して本発明の例示的実施形態の後述の詳細な説明を読むことにより最もよく理解されるであろう。
【００２５】
【図１】例示的一実施形態による、モバイル機器を介した航空機システムの制御及び報告のための装置のブロック図である。
【図２】例示的一実施形態による、航空機システムの制御及び報告のためのモバイル機器のブロック図である。
【図３】例示的な一実施形態による航空機システムのブロック図である。
【図４】例示的な一実施形態による、モバイル機器を介した航空機システムの制御プロセスのフロー図である。
【図５】例示的な一実施形態による、モバイル機器を介した航空機システムの報告プロセスのフロー図である。
【図６】例示的一実施形態による、航空機システムの制御及び報告のプロセスのフロー図である。
【図７】例示的一実施形態によるデータ処理システムを示している。
【発明を実施するための形態】
【００２６】
種々の例示的な実施形態は、任意の数の様々な検討事項を認識して考慮している。本明細書でアイテムに言及して使用される「任意の数の」は、一又は複数のアイテムを意味する。例えば、「任意の数の異なる検討事項」は、一又は複数の異なる検討事項を意味する。
【００２７】
様々な例示的実施形態は、航空機のシステムによって実行される機能が、オペレータと、システムの専用オペレータインターフェースとの相互作用によって制御されることを認識し、考慮する。このような専用オペレータインターフェースは、航空機内の、実質的に固定された限定数の位置に配置される。したがって、オペレータは、専用オペレータインターフェースを使用して、航空機のシステムによって実行される機能を制御するために、専用オペレータインターフェースの場所に近い航空機内の一の場所にいる必要があるか、又はそのような場所へ移動する必要がある。
【００２８】
様々な例示的実施形態は、オペレータが、航空機上の任意の適切な場所から、航空機のシステムによって実行される機能を制御できることが望ましいことを認識し、考慮する。したがって、様々な例示的実施形態は、航空機のシステムによって実行される機能を制御するためのオペレータインターフェースが可動であることが望ましいことを認識し、考慮する。
【００２９】
様々な例示的実施形態は、航空機のシステムによって実行される機能を制御するための専用オペレータインターフェースを、システムに有線接続できることを認識し、考慮する。オペレータインターフェースと、オペレータインターフェースによって制御されるシステムとの間の有線接続は、オペレータインターフェースの移動性を望ましくない程度まで制限する。様々な例示的実施形態は、無線接続を介して航空機のシステムによって実行される機能を制御するように構成されたオペレータインターフェースが、システムに有線接続されるオペレータインターフェースより高い移動性を有することを認識し、考慮する。
【００３０】
様々な例示的実施形態は、さらに、航空機のシステムによって実行される機能を制御するための専用オペレータインターフェースは、航空機の他の異なるシステムによって実行される機能を制御するために使用できないことを認識し、考慮する。したがって、オペレータは、航空機の種々の異なるシステムによって実行される機能を制御するために、複数の異なる専用オペレータインターフェースを使用しなければならない。
【００３１】
様々な例示的実施形態は、オペレータが、単一のオペレータインターフェースを使用して、航空機の種々の異なるシステムによって実行される機能を制御できることが望ましいことを認識し、考慮する。様々な例示的実施形態は、さらに、航空機の種々のシステムを、オペレータに様々な種類の情報を報告するように構成できることを認識し、考慮する。例えば、航空機上の一のシステムを、オペレータからのリクエストに応じてオペレータに情報を報告するように構成することができる。
【００３２】
これに代えて、又は加えて、航空機上の一のシステムを、オペレータからのそのような情報に対するリクエストがなくても、自動的にオペレータに情報を報告するように構成することができる。例えば、限定しないが、航空機上の一のシステムを、周期的に、事象の発生に応じて、又は周期的に且つ事象発生に応じて、自動的にオペレータに情報を報告するように構成することができる。
【００３３】
様々な例示的実施形態は、オペレータが、移動式オペレータインターフェースを使用して、航空機上の任意の適切な場所にある航空機上の一のシステムから情報の報告を受け取れることが望ましいことを認識し、考慮する。様々な例示的実施形態は、さらに、オペレータが、単一のオペレータインターフェースを使用して、航空機の種々の異なるシステムから情報の報告を受け取れることが望ましいことを認識し、考慮する。また、航空機システムから移動式オペレータインターフェースを使用して受け取られる情報の報告を、オペレータが移動式オペレータインターフェース上で見ることができることが望ましい。
【００３４】
これに代えて、又は加えて、航空機システムから移動式オペレータインターフェースを使用して受け取られる情報の報告を、移動式オペレータインターフェース上に格納し、解析のため、或いは他のいずれかの適切な目的又は目的の組合せのために、その後別のデバイス又はシステムに転送できることが望ましい。例えば、限定しないが、民間旅客航空機又は他の航空機の航空機システムからの情報の報告を、例示的一実施形態による移動式オペレータインターフェースを使用して受け取ることができるか、又は移動式オペレータインターフェース上に格納できることが望ましい。移動式オペレータインターフェース上に格納される航空機システムからの情報の報告は、次いで、適切な時間に適切な方式で、解析又は別の適切な目的のために、航空会社の事務所又は航空機外の別の特定の場所にあるデータ処理システムに転送される。
【００３５】
例示的実施形態の一又は複数は、モバイル機器を介して航空機のシステムによって実行される機能を制御するためのシステム及び方法を提供する。例示的一実施形態によれば、オペレータは、モバイル機器を使用して、航空機上の任意の適切な場所から、航空機の種々の異なるシステムによって実行される機能を制御することができる。オペレータは、モバイル機器を使用して、航空機上の任意の適切な場所で、航空機の種々の異なるシステムからの情報の報告を受け取ることができる。オペレータは、モバイル機器を使用して、航空機の種々の異なるシステムから受け取った情報の報告を見ることができる。
【００３６】
これに代えて、又は加えて、航空機の種々の異なるシステムから受け取った情報の報告を、モバイル機器に格納することができる。例えば、限定しないが、航空機の種々の異なるシステムから受け取った情報の報告は、モバイル機器上で解析を行うため、その後モバイル機器から別のデバイス又はシステムに転送して適宜使用するため、或いはその両方のために、モバイル機器に格納することができる。
【００３７】
例示的一実施形態によれば、航空機の無線ネットワークは、任意の数のモバイル機器に無線接続を提供するように構成される。モバイル機器の各々は、オペレータが、航空機の種々の異なるシステムによって実行される機能を制御するためのコントロールを識別することを可能にするように構成される。航空機の種々の異なるシステムによって実行される機能を制御するためのコントロールは、航空機上の任意の適切な場所にあるモバイル機器から、無線接続を介して航空機ネットワークデータ処理システムに送られる。航空機ネットワークデータ処理システムは、航空機の航空機ネットワークを介して、航空機の種々の異なるシステムに接続される。航空機ネットワークデータ処理システムは、無線ネットワークを介してモバイル機器から受け取ったコントロールを、航空機ネットワークを介して航空機の適切なシステムに届けることで、システムによって実行される機能を制御する。
【００３８】
これに代えて、又は加えて、航空機の種々の異なるシステムによって実行される機能を制御するためのコントロールは、航空機上の任意の適切な場所にあるモバイル機器から、有線接続を介して航空機ネットワークデータ処理システムに送ることができる。この場合、航空機ネットワークデータ処理システムは、有線接続を介してモバイル機器から受け取ったコントロールを、航空機ネットワークを介して航空機の適切なシステムに届けるように構成することができる。
【００３９】
航空機ネットワークデータ処理システムは、航空機ネットワークを介して、航空機の種々の異なるシステムから情報の報告を受け取るように構成することもできる。航空機ネットワークデータ処理システムは、航空機の種々の異なるシステムから受け取った情報の報告を、航空機上の任意の適切な場所にあるモバイル機器に、航空機の無線ネットワークにより提供されるモバイル機器への無線接続を介して送るように構成することができる。これに代えて、又は加えて、航空機ネットワークデータ処理システムは、航空機の種々の異なるシステムから受け取った情報の報告を、航空機上の任意の適切な場所にあるモバイル機器に、有線接続を介して送るように構成することができる。
【００４０】
モバイル機器は、無線接続又は有線接続を介して航空機ネットワークデータ処理システムからモバイル機器が受け取った、航空機の種々の異なるシステムからの情報の報告を、オペレータに対して表示するように構成することができる。これに代えて、又は加えて、モバイル機器は、航空機ネットワークデータ処理システムから受け取った、航空機の種々のシステムからの情報の報告を、モバイル機器上に格納するように構成することができる。この場合、モバイル機器は、モバイル機器に格納されている航空機の種々の異なるシステムからの情報の報告を、モバイル機器から別のデバイス又はシステムに転送するように構成することもできる。
【００４１】
図１は、例示的一実施形態による、モバイル機器を介した航空機システムの制御及び報告のための装置のブロック図である。この実施例では、航空機１００は、いずれかの適切な種類の航空機である。例えば、限定しないが、航空機１００は、民間又は自家用旅客航空機、貨物航空機、軍用又はその他政府専用機、或いはいずれかの適切な目的又はミッションのための他のいずれかの航空機である。航空機１００は、固定翼機、回転翼機、又は航空機より軽量のものでもよい。
【００４２】
航空機１００は、航空機１００上で種々の機能を実行する種々のシステムを含む。例えば、航空機１００は、航空機１００上に、システム１０２、システム１０４、及びシステム１０６を含む。システム１０２、１０４、及び１０６は、航空機１００上でいずれかの適切な機能を実行するいずれかの適切なシステムを含む。システム１０２、１０４、及び１０６を、航空機システムと呼ぶ。例示的一実施形態による航空機１００は、三つより多い又は少ないシステムを有してもよい。例示的実施形態を使用して、航空機の任意の適切な数のシステムによって実行される機能を制御することができる。
【００４３】
システム１０２、１０４、及び１０６は、航空機１００上で種々の機能を実行するように構成することができる。例えば、システム１０２は、航空機１００上で機能１０８及び機能１１０を実行するように構成される。システム１０４は、航空機１００上で機能１１２及び機能１１４を実行するように構成される。システム１０６は、航空機１００上で機能１１６を実行するように構成される。機能１０８、１１０、１１２、１１４、及び１１６は、航空機１００上のいずれかの適切なシステムによって実行されるいずれかの適切な機能を含む。航空機１００の種々のシステムによって、五つより多い又は少ない機能が実行されてもよい。
【００４４】
例示的実施形態を使用して、航空機の種々のシステムによって実行される任意の適切な数の機能を制御することができる。航空機１００の種々のシステムは、様々な種類の情報をオペレータに報告するように構成することができる。例えば、システム１０２は、情報１１８をオペレータに報告するように構成される。システム１０６は、情報１２０をオペレータに報告するように構成される。情報１１８及び情報１２０は、システム１０２及びシステム１０６によってオペレータにそれぞれ報告されるいずれかの適切な種類の情報を含むことができる。例えば、限定しないが、情報１１８、情報１２０、又は両方は、航空機１００の一のシステムのステータスを示すステータス情報、航空機１００の一のシステムによって実行される任意の適切な数の機能のステータスを示すステータス情報、或いは航空機１００の一のシステムによって提供される他のいずれかの適切な種類の情報又は様々な種類の情報の組合せを含みうる。航空機の任意の適切な数のシステムは、任意の適切な数の様々な種類の情報を、オペレータに報告するように構成することができる。
【００４５】
航空機１００のシステム１０２を、オペレータからのリクエストに応じてオペレータに情報１１８を報告するように構成することができる。これに代えて、又は加えて、航空機１００のシステム１０２を、オペレータからのそのような情報に対するリクエストがなくても、自動的にオペレータに情報１１８を報告するように構成することができる。例えば、限定しないが、航空機１００のシステム１０２を、周期的に、事象の発生に応じて、又は周期的に且つ事象発生に応じて、自動的にオペレータに情報１１８を報告するように構成することができる。
【００４６】
同様に、航空機１００のシステム１０６は、オペレータからのリクエストに応じて、オペレータからのそのような情報に対するリクエストがなくても自動的に、又はオペレータからのリクエストに応じて且つオペレータからのそのような情報に対するリクエストがなくても自動的に、オペレータに情報１２０を報告するように構成することができる。いずれの場合も、オペレータは、例示的実施形態を使用して、航空機の任意の適切な数の種々のシステムから、様々な種類の情報の任意の適切な数の報告を受け取ることができる。
【００４７】
航空機の種々のシステムは、航空機上で種々の異なる機能を実行するか、異なる情報を報告するか、又は航空機上で種々の異なる機能を実行して異なる情報を報告するように構成することができる。異なる機能を実行するか、異なる情報を報告するか、又は異なる機能を実行して異なる情報を報告するように構成された航空機のいずれのシステムも、異なるシステム１２１とすることができる。例えば、システム１０２、システム１０４、及びシステム１０６は、航空機１００上で異なる機能を実行し、異なる情報を報告するように構成することができる。したがって、システム１０２、システム１０４、及びシステム１０６は、航空機１００の異なるシステム１２１である。
【００４８】
航空機の各システムは、種々のシステムインターフェース特性によって定義される。航空機のシステムの種々のシステムインターフェース特性は、オペレータが、システムと相互作用してシステムによって実行される機能を制御する方式、システムによって報告される情報を受け取る方式、又はシステムによって実行される機能を制御し且つシステムによって報告される情報を受け取る方式を定義する。例えば、航空機のシステムのシステムインターフェース特性は、システムによって実行される機能と、オペレータによって機能が制御される方式とによって定義される。これに加えて、又は代えて、航空機のシステムのシステムインターフェース特性は、システムによって報告される情報と、オペレータに情報が報告される方式とによって定義される。
【００４９】
例えば、航空機１００のシステム１０２は、システムインターフェース特性１２２によって定義される。航空機１００のシステム１０４は、システムインターフェース特性１２４によって定義される。航空機１００のシステム１０６は、システムインターフェース特性１２６によって定義される。航空機１００の異なるシステム１２１は、異なる機能を実行するか、異なる情報を報告するか、又は異なる機能を実行して異なる情報を報告するように構成される。したがって、航空機１００の異なるシステム１２１は、異なるシステムインターフェース特性を有する。
【００５０】
航空機のシステムのシステムインターフェース特性を使用して、システムのオペレータインターフェースを実施することができる。航空機のシステムのシステムインターフェース特性に従って構成された航空機のシステムのオペレータインターフェースは、オペレータが、システムと相互作用することにより、システムによって実行される機能を制御するか、システムによって報告される情報を受け取るか、又はシステムによって実行される機能を制御し且つシステムによって報告される情報を受け取ることを可能にする。
【００５１】
例えば、専用オペレータインターフェース１２８は、航空機１００のシステム１０２のシステムインターフェース特性１２２に従って構成される。したがって、オペレータは、専用オペレータインターフェース１２８を使用して、システム１０２によって実行される機能１０８及び機能１１０を制御し、システム１０２によって報告される情報１１８を受け取ることができる。専用オペレータインターフェース１３０は、航空機１００のシステム１０４のシステムインターフェース特性１２４に従って構成される。したがって、オペレータは、専用オペレータインターフェース１３０を使用して、システム１０４によって実行される機能１１２及び機能１１４を制御することができる。専用オペレータインターフェース１３２は、航空機１００のシステム１０６のシステムインターフェース特性１２６に従って構成される。したがって、オペレータは、専用オペレータインターフェース１３２を使用して、システム１０６によって実行される機能１１６を制御し、システム１０６によって報告される情報１２０を受け取ることができる。
【００５２】
専用オペレータインターフェース１２８、１３０、及び１３２の各々は、対応する航空機１００のシステム１０２、１０４、又は１０６だけのシステムインターフェース特性１２２に従って構成される。したがって、専用オペレータインターフェース１２８、１３０、及び１３２の各々を使用して、そのために専用オペレータインターフェース１２８、１３０、又は１３２が構成されている航空機１００の対応するシステム１０２、１０４、又は１０６のみを制御し、そのようなシステムのみから情報の報告を受け取ることができる。したがって、オペレータは、航空機１００の種々の異なるシステム１２１を制御し、それらシステムから情報の報告を受け取るために、複数の異なる専用オペレータインターフェース１２８、１３０、及び１３２を使用する必要がある。
【００５３】
専用オペレータインターフェース１２８は、接続１３３によってシステム１０２に接続される。専用オペレータインターフェース１３０は、接続１３４によってシステム１０４に接続される。専用オペレータインターフェース１３２は、接続１３６によってシステム１０６に接続される。例えば、専用オペレータインターフェース１２８、１３０、及び１３２と、航空機１００の対応するシステム１０２、１０４、及び１０６との間の接続１３３、１３４、及び１３６のうちの一又は複数は、有線接続とすることができる。
【００５４】
この場合、専用オペレータインターフェース１２８、１３０、及び１３２は、移動不能でも、移動性が制限されていてもよい。例えば、航空機１００の対応するシステム１０２、１０４、及び１０６への有線接続１３３、１３４、及び１３６を有する専用オペレータインターフェース１２８、１３０、及び１３２は、限定数の、航空機１００上において実質的に固定の位置に配置される。したがって、専用オペレータインターフェース１２８、１３０、又は１３２２を使用して、航空機１００のシステム１０２、１０４、及び１０６のうちの対応する一つを制御するか、或いはそのようなシステムから情報の報告を受け取るために、オペレータは、専用オペレータインターフェース１２８、１３０、及び１３２のうちの一つの場所に近い航空機１００上の一の場所にいる必要があるか、又は航空機１００上のそのような場所に移動する必要がある。代替的に、専用オペレータインターフェース１２８、１３０、及び１３２と、航空機１００上の対応するシステム１０２、１０４、及び１０６との間の接続１３３、１３４、及び１３６のうちの一又は複数は、無線接続とすることができる。
【００５５】
通信システム１３８は、航空機１００と機外システム１４０との通信を行うように構成される。通信システム１３８は、航空機１００の飛行中又は航空機１００が地上にいる間に、航空機１００と機外システム１４０との通信を行ういずれかの適切なデバイス又はシステムを含むことができる。機外システム１４０は、航空機１００上に位置しない任意の適切な数のシステムを含みうる。
【００５６】
航空機ネットワークデータ処理システム１４２は、航空機ネットワーク１４４によって、航空機１００のシステム１０２、１０４、及び１０６と、通信システム１３８とに接続される。航空機ネットワーク１４４は、航空機ネットワークデータ処理システム１４２と、航空機１００のシステム１０２、１０４、及び１０６との間での、並びに航空機ネットワークデータ処理システム１４２と通信システム１３８との間での、データ交換を行うようにいずれかの適切な方式で実施することができる。例えば、航空機ネットワーク１４４は、航空機１００の適切な有線ネットワークとして実施することができる。代替的に、航空機ネットワーク１４４の適切な部分は無線でもよい。
【００５７】
航空機ネットワーク１４４は、航空機１００の複数のネットワークとして実施することができる。例えば、限定しないが、航空機ネットワーク１４４は、航空機１００の適切なネットワークのうちの一つとして実施することができる。
【００５８】
航空機ネットワーク１４４は、適切なネットワークインターフェース１４８によって他の航空機ネットワーク１４６に接続される。航空機ネットワークデータ処理システム１４２は、航空機ネットワーク１４４、ネットワークインターフェース１４８、及び他の航空機ネットワーク１４６を介して他の航空機ネットワーク１４６に接続されたシステムとデータ交換することができる。例えば、限定しないが、航空機ネットワーク１４４及び外の航空機ネットワーク１４６は、航空機１００の異なるレベルのセキュリティに関連付けることができる。例えば、航空機ネットワーク１４４は、比較的低いセキュリティレベルで、航空機１００の種々のシステム間のデータ交換を行うように構成された比較的オープンなデータネットワークを含むことができる。他の航空機ネットワーク１４６は、それよりも高いセキュリティレベルで、航空機１００の他の種々のシステム間のデータ交換を行うように構成される。この場合、ネットワークインターフェース１４８は、航空機ネットワーク１４４と他の航空機ネットワーク１４６との間でデータが交換されるとき、航空機ネットワーク１４４と他の航空機ネットワーク１４６との間のセキュリティを維持するように構成される。
【００５９】
また、航空機ネットワークデータ処理システム１４２は、航空機１００の無線ネットワーク１５２に接続される。無線ネットワーク１５２は、航空機１００においていずれかの適切な方式で実施することができる。例えば、無線ネットワーク１５２は、航空機１００上に、ローカルエリアネットワーク１５４又は別の適切な無線ネットワークを含む。例えば、限定しないが、無線ネットワーク１５２は、米国特許出願公開第２０１１／０１９５６５６号（参照により本明細書に包含される）に記載される航空機の統合型無線ネットワークの全部又は一部を含むことができる。
【００６０】
無線ネットワーク１５２は、無線１５７モバイル機器１５８に無線接続１５６を、無線１６１モバイル機器１６２に無線接続１６０を、それぞれ提供するように構成することができる。例示的一実施形態に従って、無線ネットワーク１５２は、任意の適切な数の無線モバイル機器に無線接続を提供するように構成することができる。
【００６１】
無線ネットワーク１５２は、任意の適切な数の無線アクセスポイント１６４を含むことができる。例えば、モバイル機器１５８及びモバイル機器１６２が、航空機１００内の複数の適切な場所１６５からの無線ネットワーク１５２との無線接続１５６及び無線接続１６０をそれぞれ確立して維持できるように、適切な数の無線アクセスポイント１６４を航空機１００の種々の場所に設けることができる
【００６２】
無線ネットワーク１５２はセキュリティシステム１６６を含むことができる。セキュリティシステム１６６は、モバイル機器１５８及び１６２が無線ネットワーク１５２に接続する権限を有しているかどうかを決定するように構成される。セキュリティシステム１６６は、いずれかの適切な方式で無線ネットワーク１５２内において実施することができる。
【００６３】
モバイル機器１５８及びモバイル機器１６２は、オペレータが、航空機１００のシステム１０２、１０４、及び１０６によって実行される任意の数の機能１０８、１１０、１１２、１１４、及び１１６を制御するためのコントロールを識別することを可能にするように構成されている。このようなコントロールは、モバイル機器１５８及びモバイル機器１６２から、それぞれ無線接続１５６及び無線接続１６０を介して無線ネットワーク１５２に送られる。
【００６４】
モバイル機器１５８及びモバイル機器１６２からのコントロールは、無線ネットワーク１５２を介して航空機ネットワークデータ処理システム１４２によって受け取られる。航空機ネットワークデータ処理システム１４２は、モバイル機器１５８及びモバイル機器１６２から受け取ったコントロールを、無線ネットワーク１５２を介して、システム１０２、１０４、及び１０６のうちの適切な一又は複数に届けることにより、システム１０２、１０４、及び１０６によって実行される機能１０８、１１０、１１２、１１４、及び１１６のうちの一又は複数を制御するように構成することができる。例えば、航空機ネットワークデータ処理システム１４２は、機能１０８、１１０、１１２、１１４、及び１１６のうちの一又は複数を制御するためのコントロールを、システム１０２、１０４、および１０６のうちの適切な一又は複数へ、航空機ネットワーク１１４を介して経路指定するように構成されたルータ１６８を含むことができる。
【００６５】
航空機ネットワークデータ処理システム１４２は、また、航空機１１０上のシステム１０２及びシステム１０６から、航空機ネットワーク１４４を介して、情報１１８及び情報１２０の報告を受け取るように構成される。航空機ネットワークデータ処理システム１４２は、システム１０２及びシステム１０６から情報１１８及び情報１２０の報告を、無線ネットワーク１５２を介してモバイル機器１５８及びモバイル機器１６２に送るように構成される。
【００６６】
モバイル機器１５８及びモバイル機器１６２は、航空機１００のシステム１０２及びシステム１０６から、無線接続１５６及び無線接続１６０を介して報告を受け取るように構成される。モバイル機器１５８及びモバイル機器１６２は、また、航空機１００のシステム１０２及びシステム１０６から受け取った報告を、適切な方式でオペレータに表示するか、格納するか、或いは表示且つ格納するように構成することができる。
【００６７】
モバイル機器１７０は、有線接続１７２により航空機ネットワークデータ処理システム１４２に接続することができる。したがって、モバイル機器１７０は、有線１７１モバイルデバイス１７０と呼ばれる。モバイル機器１７０は、航空機１００上の種々の異なる場所１６５から、システム制御及び報告に関してモバイル機器１５８と同じ機能を実行するように構成される。しかしながら、モバイル機器１７０の移動性はモバイル機器１５８及びモバイル１６２より小さい。
【００６８】
モバイル機器１６２は、有線接続１７３により航空機ネットワークデータ処理システム１４２に接続するように構成することもできる。したがって、モバイル機器１６２は、有線１７４モバイル機器１６２とも呼ばれる。この場合、モバイル機器１６２は、無線１６１及び有線１７４の両方で使用できるものでもよい。例えば、限定しないが、航空機１００の整備に使用されるラップトップコンピュータ又は他のデバイスは、無線１６１及び有線１７４両方で使用できるモバイル機器１６２の一例である。
【００６９】
航空機ネットワークデータ処理システム１４２は、セキュリティシステム１７５を含むことができる。セキュリティシステム１７５は、モバイル機器１６２及びモバイル機器１７０が、それぞれ無線接続１７３及び無線接続１７２を介して航空機ネットワークデータ処理システム１４２と通信する権限を有しているかどうかを決定するように構成される。セキュリティシステム１７５は、いずれかの適切な方式で航空機ネットワークデータ処理システム１４２内において実施することができる。
【００７０】
セキュリティシステム１７５は、モバイル機器１５８及びモバイル機器１６２のうちの無線の機器が無線ネットワーク１５２に接続することを許可されているかどうかを決定するためのプロセスに使用することもできる。例えば、セキュリティを提供するための認可に基づく一実装態様では、無線ネットワーク１５２のセキュリティシステム１６６は、モバイル機器１５８及びモバイル機器１６２のうちの無線の機器から航空機ネットワークデータ処理システム１４２のセキュリティシステム１７５へ、検証のために承認リクエストを渡す。
【００７１】
モバイル機器１５８、１６２、及び１７０によってオペレータに提供されるシステム制御及び報告機能は、システム制御アプリケーション１７６によって定義される。例えば、システム制御アプリケーション１７６は、航空機ネットワークデータ処理システム１４２によって格納される。システム制御アプリケーション１７６は、モバイル機器１５８及びモバイル機器１６２により、航空機ネットワークデータ処理システム１４２から、それぞれ無線ネットワーク１５２への無線接続１５６及び無線接続１６０を介してダウンロードされる。次いで、システム制御アプリケーション１７６は、モバイル機器１５８及び１６２上で実行される。
【００７２】
代替的に、システム制御アプリケーション１７６は、航空機ネットワークデータ処理システム１４２上で実行されてもよい。この場合、システム制御アプリケーション１７６の機能性には、モバイル機器１５８及びモバイル機器１６２によって、それぞれ無線ネットワーク１５２への無線接続１５６及び無線接続１６０を介してアクセスできる。同様に、システム制御アプリケーション１７６は、航空機ネットワークデータ処理システム１４２からモバイル機器１６２及びモバイル機器１７０にダウンロードされて、モバイル機器１６２及びモバイル機器１７０上で実行されるか、或いは航空機ネットワークデータ処理システム１４２上で実行されて、それぞれ有線接続１７３及び無線接続１７２を介してモバイル機器１６２及びモバイル機器１７０によりアクセスされる。
【００７３】
システム制御アプリケーション１７６は、また、適切なセキュリティ機能１７８を提供しうる。例えば、システム制御アプリケーション１７６のセキュリティ機能１７８は、モバイル機器１５８、１６２、又は１７０が、航空機１００の特定のシステム１０２、１０４、又は１０６を制御することを許可されているかどうか、或いはそのようなシステムから情報を受け取ることを許可されているかどうかを決定するように構成される。
【００７４】
図１の例示は、種々の例示的実施形態を実施可能な方式に対する物理的又はアーキテクチャ的な限定であることを意図していない。図示されたコンポーネントに加えて及び／又は代えて、他のコンポーネントを使用することができる。一部の例示的実施形態では、いくつかのコンポーネントは不要である。また、ブロックは、いくつかの機能的なコンポーネントを示すために提示されている。種々の例示的実施形態において実施されるとき、これらのブロックの一又は複数は、異なるブロックに合成又は分割することができる。
【００７５】
例えば、モバイル機器１５８、１６２、及び１７０は、航空機ネットワークデータ処理システム１４２も無線ネットワーク１５２も含まない、モバイル機器１５８、１６２、及び１７０からシステム１０２、１０４、及び１０６への直接的な接続により、航空機１００のシステム１０２、１０４、及び１０６を制御するように構成することができる。
【００７６】
航空機１００は、例示的一実施形態を実施可能なプラットフォームの一例である。例示的一実施形態によるモバイル機器を介したシステム制御は、航空機１００以外の種々のプラットフォームにおける複数の異なるシステム及び機能を制御するために実施することができる。例示的一実施形態によるモバイル機器を介した報告は、航空機１００以外の種々のプラットフォームにおける複数の異なるシステムについての報告を提供するために実施することができる。
【００７７】
例えば、例示的実施形態は、空、宇宙、陸上、水上、水中、或いは他のいずれかの媒体又は媒体の組合せの中を移動するように構成されたビークル又は他の移動プラットフォームにおける種々のシステムのために、モバイル機器を介したシステム制御及び報告を提供するように実施することができる。例示的実施形態は、移動不能なプラットフォームにおける種々のシステムのために、モバイル機器を介したシステム制御及び報告を提供するために実施することもできる。
【００７８】
図２は、例示的一実施形態による、航空機システムの制御及び報告のためのモバイル機器のブロック図である。モバイル機器２００は、図１のモバイル機器１５８、１６２、及び１７０の一実装態様の一例である。
【００７９】
モバイル機器２００は、無線トランシーバ２０２を含む。無線トランシーバ２０２は、無線ネットワーク２０６に無線接続２０４を提供するように構成される。したがって、モバイル機器２００は無線機器と呼ぶこともできる。無線トランシーバ２０２は、無線接続２０４を介して無線ネットワーク２０６にコントロール２０８及び他のデータを送るように構成される。無線トランシーバ２０２は、無線接続２０４を介して無線ネットワーク２０６から報告２２１０及び他のデータを受け取るようにも構成される。
【００８０】
これに代えて、又は加えて、モバイル機器２００は、適切な有線接続により航空機ネットワークデータ処理システムに接続するように構成することができる。この場合、コントロール２０８及び他のデータは、有線接続を介して航空機ネットワークデータ処理システムに送られ、報告２１０及び他のデータは、有線接続を介して航空機ネットワークデータ処理システムから受け取られるように構成される。
【００８１】
モバイル機器２００は、識別情報２１１を含む。識別情報２１１は、無線ネットワーク２０６に提供されて、モバイル機器２００が無線ネットワーク２０６に接続する権限を有しているかどうかを決定するために、無線ネットワーク２０６に関連付けられたキュリティシステムによって使用される。
【００８２】
システム制御アプリケーション２１２は、モバイル機器２００上で実行される。システム制御アプリケーション２１２は、モバイル機器２００にローディングされて、いずれかの適切な方式でモバイル機器２００上で実行される。例えば、限定しないが、システム制御アプリケーション２１２は、無線ネットワーク２０６から、無線接続２０４を介してモバイル機器２００にダウンロードされる。代替的に、システム制御アプリケーション２１２は、航空機ネットワークデータ処理システム上で実行され、無線ネットワーク２０６への無線接続２０４を介してモバイル機器２００によってアクセスされてもよい。
【００８３】
システム制御アプリケーション２１２は、セキュリティ機能２１３を含む。セキュリティ機能２１３は、モバイル機器２００が、航空機の特定のシステムを制御するため、又はそのようなシステムから報告２１０を受け取るために、システム制御アプリケーション２１２を使用することを許可されているかどうかを決定するように構成される。例えば、限定しないが、セキュリティ機能２１３は、モバイル機器２００が、航空機の特定のシステムにコントロール２０８を送ることを許可されているかどうか、又はそのようなシステムから報告２１０を受け取ることを許可されているかどうかを決定するために、モバイル機器２００の識別情報２１１を使用するように構成される。
【００８４】
システム制御アプリケーション２１２は、ユーザインターフェースジェネレータ２１４を含む。ユーザインターフェースジェネレータ２１４は、ユーザインターフェース２１６を生成するように構成される。ユーザインターフェース２１６は、適切な表示装置２２０上でオペレータ２１８に対して表示される。入力２２２は、いずれかの適切な入力装置２２４を介してオペレータ２１８から受け取られる。例えば、限定しないが、表示装置２２０及び入力装置２２４は単一の装置、例えばタッチスクリーンディスプレイに組み合わせることができる。モバイル機器２００は、オペレータ２１８に音響形式で情報を提示するためのスピーカ２２６を含んでもよい。モバイル機器２００は、オペレータ２１８から音声又は別の音響形式で入力２２２を受け取るためのマイク２２８を含むこともできる。
【００８５】
ユーザインターフェース２１６は、航空機の種々の異なるシステムによって実行される機能を制御するための任意の数の制御インターフェース２３０を含むことができる。例えば、制御インターフェース２３２は、航空機のシステム２３６によって実行される機能２３４を制御するように構成されている。制御インターフェース２３８は、航空機のシステム２３６によって実行される機能２４０を制御するように構成されている。制御インターフェース２４２は、航空機のシステム２４６によって実行される機能２４４を制御するように構成されている。制御インターフェース２４８は、航空機のシステム２５２によって実行される機能２５０を制御するように構成されている。
【００８６】
システム制御アプリケーション２１２は、コントロールジェネレータ２５４を含むことができる。コントロールジェネレータ２５４は、オペレータ２１８からのインターフェース群２３０を制御するための入力２２２に応答して、航空機の種々のシステムによって実行される機能を制御するためのコントロール２０８を生成するように構成される。コントロールジェネレータ２５４によって生成されるコントロール２０８は、無線接続２０４及び無線ネットワーク２０６を介して航空機の種々のシステムに送られる。
【００８７】
例えば、限定しないが、システム２３６、システム２４６、及びシステム２５２のうちの一又は複数を制御してモバイル機器２００に報告２１０を送るように、任意の数の制御インターフェース２３０を構成することができる。これに代えて、又は加えて、システム２３６、システム２４６、及びシステム２５２のうちの一又は複数を、オペレータ２１８から、或いは別の適切な方式でシステム２３６、システム２４６、及びシステム２５２の一又は複数に提供される別のエンティティからのリクエストに応じて、モバイル機器２００に報告２１０を送るように構成することができる。これに代えて、又は加えて、システム２３６、システム２４６、及びシステム２５２のうちの一又は複数を、周期的に、事象の発生に応じて、又は周期的に且つ事象発生に応じて、自動的にモバイル機器２００に情報２１０を送るように構成することができる。
【００８８】
ユーザインターフェース２１６は、報告インターフェース群２５６も含みうる。報告インターフェース群２５６は、航空機の種々の異なるシステムからモバイル機器２００が受け取った報告２１０を表示するように構成することができる。例えば、限定しないが、ユーザインターフェースジェネレータ２１４は、モバイル機器２００が無線ネットワーク２０６への無線接続２０４を介して報告２１０を受け取ることに応答して、報告インターフェース２５６を生成するように構成される。例えば、報告インターフェース２５７は、航空機のシステム２３６からの情報の報告を表示するように構成される。報告インターフェース２６０は、航空機のシステム２５２からの情報２６２の報告を表示するように構成される。
【００８９】
モバイル機器２００は、また、航空機の種々の異なるシステムからモバイル機器２００が受け取った報告２１０を格納するように構成することができる。例えば、モバイル機器２００が受け取った報告２１０は、モバイル機器２００のストレージ２７０に格納される。ストレージ２７０は、いずれかの適切なメモリ素子、又はモバイル機器２００に報告２１０を格納するための他のデバイスを用いて実施される。例えば、限定しないが、報告２１０は、ストレージ２７０から、別のデバイス又はシステムに転送され、その後の適切な時間に閲覧及び解析される。
【００９０】
図２の例示は、種々の例示的実施形態を実施可能な方式に対する物理的又はアーキテクチャ的な限定であることを意図していない。図示されたコンポーネントに加えて及び／又は代えて、他のコンポーネントを使用することができる。一部の例示的実施形態では、いくつかのコンポーネントは不要である。また、ブロックは、いくつかの機能的なコンポーネントを示すために提示されている。種々の例示的実施形態において実施されるとき、これらのブロックの一又は複数は、異なるブロックに合成又は分割することができる。
【００９１】
図３は、例示的な一実施形態による航空機システムのブロック図である。この実施例では、航空機システム３００は、図１の航空機１００のシステム１０２、システム１０４、及びシステム１０６の実装態様の例である。
【００９２】
航空機システム３００は、機内娯楽システム３０２、拡声装置３０４、情報システム３０６、客室サービスシステム３０８、アテンダント呼び出しシステム３１２、その他の航空機システム３１４、又は航空機のシステムの種々の組み合わせを含むことができる。航空機システム３００によって実行される種々の機能は、航空機システム３００が実施される航空機によって様々である。異なる機能及び機能の組合せは、異なる航空機の異なる航空機システム３００によって実行される。例えば、限定しないが、拡声装置３０４及びアテンダント呼び出しシステム３１２によって実行される種々の機能は、航空機システム３００の一実装態様では客室サービスシステム３０８に含めることができる。
【００９３】
図４は、例示的な一実施形態による、モバイル機器を介して航空機システムを制御するプロセスのフロー図である。例えば、プロセス４００は、図２のモバイル機器２００において実施することができる。
【００９４】
プロセス４００は、モバイル機器を、航空機の無線ネットワークに接続することにより開始される（工程４０２）。次いで、システム制御アプリケーションが、モバイル機器において利用可能かどうかを決定する（工程４０４）。システム制御アプリケーションがモバイル機器で利用可能でない場合、システム制御アプリケーションをダウンロードするか、又はモバイル機器が無線接続を介してシステム制御アプリケーションにアクセスする（工程４０６）。
【００９５】
システム制御アプリケーションを使用して、航空機の種々のシステムによって実行される機能を制御するための制御インターフェースを表示する（工程４０８）。表示される制御インターフェースを介してオペレータ入力を受け取る（工程４１０）。オペレータ入力に応答して、航空機の種々のシステムによって実行される機能を制御するためのコントロールを生成する（工程４１２）。
【００９６】
次いで、無線ネットワークへの接続を介してコントロールを航空機の種々のシステムに送り（工程４１４）、その後プロセスは終了する。作業４０４に戻って、システム制御アプリケーションが利用可能である場合、プロセスは上述の工程４０８へ進む。
【００９７】
図５は、例示的な一実施形態による、モバイル機器を介した航空機システム報告プロセスのフロー図である。この実施例では、プロセス５００は、図２のモバイル機器２００において実施することができる。プロセス５００は、モバイル機器を航空機の無線ネットワークに接続した後で、システム制御アプリケーションによって実施することができる。
【００９８】
プロセス５００は、無線ネットワークを介して航空機のシステムから報告を受け取ることによって開始される（工程５０２）。次いで、受け取った報告を航空機システムの適切な報告インターフェース上に表示し（工程５０４）、その後プロセスは終了する。これに代えて、又は加えて、受け取った報告をモバイル機器に格納し（工程５０６）、その後プロセスは終了する。例えば、限定しないが、受け取った報告を、モバイル機器に格納してモバイル機器から別のデバイス又はシステムに転送し、その後の適切な時間に閲覧及び解析することができる。
【００９９】
図６は、例示的一実施形態による、航空機システムの制御及び報告のプロセスのフロー図である。この実施例では、プロセス６００は、図１の航空機１００の航空機ネットワークデータ処理システム１４２及び無線ネットワーク１５２において実施することができる。
【０１００】
プロセス６００は、モバイル機器から、航空機の無線ネットワークへの接続リクエストを受け取ることにより開始される（工程６０２）。モバイル機器が無線ネットワークにアクセスすることが承認されているかどうかを決定する（工程６０４）。モバイル機器が無線ネットワークにアクセスすることが承認されていないと決定された場合、プロセスは終了する。モバイル機器が無線ネットワークにアクセスすることが承認されていると決定された場合、モバイル機器を無線ネットワークに接続する（工程６０６）。
【０１０１】
次いで、モバイル機器がシステム制御アプリケーションをリクエストしているかどうかを決定する（工程６０８）。システム制御アプリケーションがリクエストされている場合、無線ネットワークを介してシステム制御アプリケーションをモバイル機器に提供する（工程６１０）。
【０１０２】
次いで、モバイル機器から、航空機のシステムによって実行される機能を制御するためのコントロールが受け取られるかどうかを決定する（工程６１２）。モバイル機器からコントロールが受け取られるという決定に応答して、コントロールを適切な航空機システムに届け（工程６１４）、その後プロセスは終了する。
【０１０３】
モバイル機器からコントロールが受け取られない場合、航空機システムからモバイル機器に関する報告が受け取られるかどうかを決定する（工程６１６）。航空機システムからモバイル機器に関する報告が受け取られない場合、プロセスは終了する。そうでない場合、航空機システムから報告を受け取ったら、無線ネットワークを介してモバイル機器に報告を送り（工程６１８）、その後プロセスは終了する。
【０１０４】
次に図７を参照する。図７は、例示的な一実施形態によるデータ処理システムを示している。データ処理システム７００は、図１の航空機ネットワークデータ処理システム１４２の一実装態様の一例である。データ処理システム７００は、図２のモバイル機器２００の一実装態様の一例でもある。
【０１０５】
この実施例では、データ処理システム７００は通信ファブリック７０２を含む。通信ファブリック７０２は、プロセッサユニット７０４、メモリ７０６、固定記憶域７０８、通信ユニット７１０、入出力（Ｉ／Ｏ）ユニット７１２、及びディスプレイ７１４の間の通信を行う。メモリ７０６、固定記憶域７０８、通信ユニット７１０、入出力（Ｉ／Ｏ）ユニット７１２、及びディスプレイ７１４は、プロセッサユニット７０４が通信ファブリック７０２を介してアクセス可能なリソースの例である。
【０１０６】
プロセッサユニット７０４は、メモリ７０６にローディング可能なソフトウェアに対する命令を実行するように機能する。プロセッサユニット７０４は、特定の実装態様に応じて、任意の数のプロセッサ、マルチプロセッサコア、又は他の何らかの種類のプロセッサであってもよい。さらに、プロセッサユニット７０４は、単一のチップ上に主要プロセッサと共に二次プロセッサが存在する任意の数の異種プロセッサシステムを使用して実施してもよい。別の実施例として、プロセッサユニット７０４は、同種のプロセッサを複数個含む対称型マルチプロセッサシステムである。
【０１０７】
メモリ７０６及び固定記憶域７０８は、記憶装置７１６の例である。記憶装置は、情報を一時的に又は恒久的に格納できる何らかのハードウェア部分であり、この情報には、例えば、限定されないが、データ、機能的形態のプログラムコード、及びその他の適切な情報が含まれる。記憶装置７１６は、このような実施例では、コンピュータで読込可能な記憶装置とも呼ばれる。このような実施例では、メモリ７０６は、例えば、ランダムアクセスメモリ又は他の何らかの適切な揮発性又は不揮発性の記憶装置であってもよい。固定記憶域７０８は、特定の実装態様に応じて様々な形態をとることができる。
【０１０８】
固定記憶域７０８は、一又は複数のコンポーネント又はデバイスを含みうる。例えば、固定記憶域７０８は、ハードドライブ、フラッシュメモリ、書換え形光ディスク、書換え可能磁気テープ、又はこれらの何らかの組み合わせである。固定記憶域７０８によって使用される媒体は、取り外し可能なものでもよい。例えば、取り外し可能なハードドライブを固定記憶域７０８に使用することができる。
【０１０９】
このような実施例では、通信ユニット７１０が他のデータ処理システム又はデバイスとの通信を行う。このような実施例では、通信ユニット７１０はネットワークインターフェースカードである。通信ユニット７１０は、物理的な及び／又は無線の通信リンクを介して通信することができる。
【０１１０】
入出力ユニット７１２は、データ処理システム７００に接続される他のデバイスとのデータの入出力を可能にする。例えば、入出力ユニット７１２は、キーボード、マウス、及び／又は他の何らかの適切な入力装置を介してユーザ入力のための接続を提供することができる。さらに、入出力ユニット７１２は、プリンタに出力を送ることができる。ディスプレイ７１４は、ユーザに対して情報を表示するための機構を提供する。
【０１１１】
オペレーティングシステム、アプリケーション、及び／又はプログラムのための命令は、記憶装置７１６に置くことができ、記憶装置は通信ファブリック７０２によりプロセッサユニット７０４と通信する。このような実施例では、命令は固定記憶域７０８上に機能的形態で存在する。このような命令は、メモリ７０６にローディングされて、プロセッサユニット７０４によって実行される。異なる実施形態のプロセスを、メモリ（例えば、メモリ７０６）に配置されうる、コンピュータで実施される命令を使用して、プロセッサユニット７０４によって実行することができる。
【０１１２】
これらの命令は、プログラム命令、プログラムコード、コンピュータで使用可能なプログラムコード、又はコンピュータで読込可能なプログラムコードと呼ばれ、プロセッサユニット７０４内の一のプロセッサによって読込まれて実行されうる。種々の実施形態において、プログラムコードは、種々の物理的な、又はコンピュータで読込可能な媒体（例えば、メモリ７０６又は固定記憶域７０８）上に具現化される。
【０１１３】
プログラムコード７１８は、選択的に取り外し可能で、且つデータ処理システム７００にローディング又は転送可能なコンピュータで読込可能な媒体７２０上に機能的形態で位置し、プロセッサユニット７０４によって実行される。プログラムコード７１８及びコンピュータで読込可能な媒体７２０は、このような実施例においてコンピュータプログラム製品７２２を形成する。一実施例では、コンピュータで読込可能な媒体７２０は、コンピュータで読込可能な記憶媒体７２４又はコンピュータで読込可能な信号媒体７２６とすることができる。
【０１１４】
コンピュータで読込可能な記憶媒体７２４は、例えば、固定記憶域７０８の一部であるハードドライブといった記憶装置上への転送のために、ドライブ又は固定記憶域７０８の一部である他のデバイスに挿入又は配置される光ディスク又は磁気ディスクを含むことができる。コンピュータで読込可能な記憶媒体７２４は、データ処理システム７００に接続された固定記憶域（例えば、ハードドライブ、サムドライブ、又はフラッシュメモリ）の形態をとることもできる。場合によっては、コンピュータで読込可能な記憶媒体７２４は、データ処理システム７００から取り外し可能でなくともよい。
【０１１５】
このような実施例では、コンピュータで読込可能な記憶媒体７２４は、プログラムコード７１８を伝搬または伝送する媒体というよりはむしろ、プログラムコード７１８を記憶するために使用される物理的な又は有形の記憶装置である。コンピュータで読込可能な記憶媒体７２４は、コンピュータで読込可能な有形の記憶装置又はコンピュータで読込可能な物理的な記憶装置とも呼ばれる。換言すると、コンピュータで読込可能な記憶媒体７２４は、人が触れることのできる媒体である。
【０１１６】
別の構成では、プログラムコード７１８は、コンピュータで読込可能な信号媒体７２６を使用してデータ処理システム７００に転送される。コンピュータで読込可能な信号媒体７２６は、例えば、プログラムコード７１８を含む伝搬データ信号である。例えば、コンピュータで読込可能な信号媒体７２６は、電磁信号、光信号、又は他のいずれかの適切な種類の信号であってもよい。このような信号は、無線通信リンク、光ファイバケーブル、同軸ケーブル、有線、又は他の適切な種類の通信リンクといった通信リンクによって伝送されうる。換言すれば、本発明の実施例では、通信リンク又は接続は物理的なもの又は無線によるものでありうる。
【０１１７】
いくつかの例示的な実施形態では、プログラムコード７１８は、コンピュータで読込可能な信号媒体７２６により他のデバイス又はデータ処理システムからネットワークを介して固定記憶域７０８にダウンロードされて、データ処理システム７００内で使用される。例えば、サーバデータ処理システム内のコンピュータで読込可能な記憶媒体に格納存されたプログラムコードは、ネットワークを介してサーバーからデータ処理システム７００にダウンロードすることができる。プログラムコード７１８を供給するデータ処理システムは、サーバコンピュータ、クライアントコンピュータ、又はプログラムコード７１８を格納及び伝送できる他の何らかのデバイスとすることができる。
【０１１８】
データ処理システム７００に例示されている種々のコンポーネントは、種々の実施形態を実施できる方式をアーキテクチャ的に制限するものではない。異なる例示的実施形態が、データ処理システム７００について示されているコンポーネントに追加的及び／又は代替的なコンポーネントを含むデータ処理システムにおいて実施されうる。図７に示す他のコンポーネントは、図示の実施例から変更可能である。種々の実施形態は、プログラムコードを実行できる任意のハードウェアデバイス又はシステムを使用して実施することができる。一実施例として、データ処理システム７００は、無機コンポーネントと統合された有機コンポーネントを含むことができる、及び／又はすべて人間以外の有機コンポーネントから構成することができる。例えば、記憶装置は、有機半導体で構成することができる。
【０１１９】
別の実施例では、プロセッサユニット７０４は、特定用途向けに製造又は構成された回路を有するハードウェアユニットの形態をとることができる。この種のハードウェアは、工程を実行するように構成された記憶装置からメモリにプログラムコードをローディングする必要なく、工程を実行することができる。
【０１２０】
例えば、プロセッサユニット７０４がハードウェアユニットの形態をとるとき、プロセッサユニット７０４は、回路システム、特定用途向け集積回路（ＡＳＩＣ）、プログラマブルロジックデバイス、又は任意の数の工程を実行するように構成された他の何らかの適切な種類のハードウェアとすることができる。プログラマブルロジックデバイスである場合、このデバイスは任意の数の工程を実行するように構成される。デイバイスは、後で再構成することができるか、又は任意の数の工程を実行するように恒久的に構成することができる。プログラマブルロジックデバイスの例として、例えば、プログラマブルロジックアレイ、プログラマブルアレイロジック、フィールドプログラマブルロジックアレイ、フィールドプログラマブルゲートアレイ、及び他の適切なハードウェアデバイスが挙げられる。この種の実装態様では、種々の実施形態のプロセスがハードウェア装置で実施されるため、プログラムコード７１８は省略されてもよい。
【０１２１】
また別の実施例では、プロセッサユニット７０４は、コンピュータ及びハードウェアユニットにおいて見られるプロセッサの組み合わせを使用して実施することができる。プロセッサユニット７０４は、任意の数のハードウェアユニットと、プログラムコード７１８を実行するように構成された任意の数のプロセッサとを有することができる。示されたこの実施例では、プロセスの一部は任意の数のハードウェアユニットにおいて実施され、他の一部は任意の数のプロセッサにおいて実施される。
【０１２２】
別の実施例では、バスシステムは、通信ファブリック７０２を実施するために使用することができ、システムバス又は入出力バスといった一又は複数のバスを含むことができる。言うまでもなく、バスシステムは、バスシステムに取り付けられた種々のコンポーネント又はデバイスの間でのデータ転送を行う任意の適切な種類のアーキテクチャを使用して実施することができる。
【０１２３】
加えて、通信ユニット７１０は、データの送信、データの受信、又はデータの送受信を行う任意の数のデバイスを含みうる。通信ユニット７１０は、例えば、モデム又はネットワークアダプタ、二つのネットワークアダプタ、又はこれらの何らかの組み合わせであってもよい。さらに、メモリは、例えば、メモリ７０６、又はインターフェースに見られるようなキャッシュ、及び通信ファブリック７０２中に存在するメモリコントローラハブとすることができる。
【０１２４】
本明細書に記載されたフロー図及びブロック図は、種々の例示的実施形態によるシステム、方法、及びコンピュータプログラム製品の可能な実装態様のアーキテクチャ、機能性、及び動作を例示している。これに関して、フロー図又はブロック図の各ブロックは、コードのモジュール、セグメント、又は部分を表わしており、一又は複数の特定の論理的機能を実施するための一又は複数の実行可能な命令を含んでいる。いくつかの代替的な実装態様では、ブロックに示された機能は図面に記載の順序で行われなくともよい。例えば、連続して示されている二つのブロックの機能が、含まれる機能性によっては、ほぼ同時に実行されても、又は時には逆の順序で実行されてもよい。
【０１２５】
例示的な実施形態の説明は、例示及び説明を目的として提示されたものであり、完全な説明であること、又はこれら実施形態を開示された形態に限定することを意図していない。当業者には、多数の修正例及び変形例が明らかであろう。さらに、種々の例示的な実施形態は、他の例示的な実施形態とは異なるフィーチャを提供することができる。選択された一又は複数の実施形態は、実施形態の原理、実際の用途を最もよく説明するため、及び他の当業者に対し、様々な実施形態の開示内容と、考慮される特定の用途に適した様々な修正との理解を促すために選択及び記述されている。
【図１】
2015036295.tif 000003
【図２】
2015036295.tif 000004
【図３】
2015036295.tif 000005
【図４】
2015036295.tif 000006
【図５】
2015036295.tif 000007
【図６】
2015036295.tif 000008
【図７】
2015036295.tif 000009
【外国語明細書】
2015036295000001.pdf
2015036295000002.pdf
2015036295000003.pdf
2015036295000004.pdf